(57)【特許請求の範囲】
【請求項１】
電子機器との接続のための接続装置と、
前記接続装置が一端に接続され、他端にイヤホン接続用の接続装置が設けられ、シールド線とその内部のオーディオ信号の信号伝送線で構成されたシールド付きケーブルと、
前記シールド付きケーブルと前記イヤホン接続用の接続装置との接続位置の前記信号線に対して設けられた高周波的にインピーダンスの高い材料からなる高周波遮断部とを備え、
前記高周波遮断部によって、前記シールド付きケーブルが受信したい波長のほぼ１/４
の長さに規定され、前記シールド線をアンテナとして機能させるアンテナ。
【請求項２】
受信したい信号よりも高い周波数の信号も高調波励振で受信可能とされる請求項１に記載のアンテナ。
【請求項３】
前記高周波的にインピーダンスの高い材料がフェライト等の磁性材料である請求項１又は２に記載のアンテナ。
【請求項４】
前記高周波的にインピーダンスの高い材料によって円筒状またはリング状のコアが形成され、
前記コアの中心穴を前記シールド付きケーブルの信号線が貫通するか、所定回数巻き付けられて前記高周波遮断部が構成される請求項１から３のいずれかに記載のアンテナ。
【発明の詳細な説明】
【技術分野】
【０００１】
本開示は、例えばスマートフォン等の携帯機器のアンテナとして適用されるアンテナに関する。
【背景技術】
【０００２】
近年、スマートフォンのグローバル化が進んでおり、機能の統一化がはかられる方向である。しかしながら、テレビジョン放送の受信機能は、日本や南米等のテレビジョン放送を視聴する地域と、欧米等のテレビジョン放送を視聴しない地域に分かれている。スマートフォンのデザインを地域によらず統一したものとするために、収納型のロッドアンテナでなく、テレビジョン放送を視聴するときに、イヤホンと一緒に使用するアンテナケーブルを採用するメーカが増えている。例えば特許文献１には、かかるアンテナが開示されている。【０００３】
特許文献１に記載のものは、同軸線のシールド線がアンテナエレメントとして機能する。同軸線の中心部の内部導体として左右のオーディオ信号を伝送する２本のラインと、グランドラインとが構成されている。シールド線と内部導体との間に電波吸収部を設けることによって、アンテナ特性を向上させるものである。
【先行技術文献】
【特許文献】
【０００４】
【特許文献１】国際公開第２０１４／０１０４８１号公報
【発明の概要】
【発明が解決しようとする課題】
【０００５】
しかしながら、人体に装着してイヤホンを使用し、且つ、挿入されるイヤホンの長さによっては、大きくアンテナの特性が変化してしまい安定性に問題があった。すなわち、挿入されるイヤホンの影響を受け受信状態が変化しやすい問題があり、また、人体の影響を受けてアンテナゲインが低下する問題があった。さらに、電波吸収部は、磁性材料例えばフェライトの粉体が混合された合成樹脂である。このような樹脂の場合、フェライトの割合を高くすると、ケーブルとしての柔軟性が低下する問題があるので、フェライトの割合を高くする面で限界があった。したがって、十分な電波吸収特性を得られないために、イヤホンの影響および人体の影響を低減する性能が不十分となるおそれがあった。【０００６】
したがって、本開示の目的は、挿入されるイヤホンの影響および人体の影響を低減する効果が良好なアンテナを提供することである。
【課題を解決するための手段】
【０００７】
本開示は、電子機器との接続のための接続装置と、
接続装置が一端に接続され、他端にイヤホン接続用の接続装置が設けられ、シールド線とその内部のオーディオ信号の信号伝送線で構成されたシールド付きケーブルと、
シールド付きケーブルとイヤホン接続用の接続装置との接続位置の信号線に対して設けられた高周波的にインピーダンスの高い材料からなる高周波遮断部とを備え、
高周波遮断部によって、シールド付きケーブルが受信したい波長のほぼ１/４の長さに
規定され、シールド線をアンテナとして機能させるアンテナである。
【発明の効果】
【０００８】
少なくとも一つの実施形態によれば、イヤホンの影響と、人体の影響は、高インピーダンス部により遮断される。したがって、イヤホンによる特性の変化、並び人体の影響によるゲイン低下を防止することができる。なお、以下の説明における例示された効果により本開示の内容が限定して解釈されるものではない。
【図面の簡単な説明】
【０００９】
【図１】本開示の第１の実施の形態に係るアンテナをを含む受信システムを示す接続図である。
【図２】本開示の第１の実施の形態における高周波遮断部の説明に用いる略線図である。
【図３】本開示の第２の実施の形態の接続図である。
【図４】本開示の第２の実施の形態におけるシールドケーブルの説明に用いる断面図である。
【図５】本開示の第３の実施の形態の接続図である。
【図６】本開示の第３の実施の形態におけるシールドケーブルの説明に用いる断面図である。
【図７】本開示の第４の実施の形態の外観を示す略線図である。
【図８】本開示の第４の実施の形態の接続図である。
【図９】本開示の第４の実施の形態における高周波遮断部の説明に用いる略線図である。
【図１０】本開示の第４の実施の形態において、イヤホン部を接続しない場合、並びに異なる長さのイヤホンケーブルを接続した場合のそれぞれの周波数特性の説明に用いるグラフである。
【図１１】本開示の第４の実施の形態において、イヤホン部を接続しない場合のピークゲイン特性を示す図である。
【図１２】本開示の第４の実施の形態において、イヤホン部を接続した場合のピークゲイン特性を示す図である。
【図１３】本開示の第４の実施の形態において、イヤホン部を接続した場合のピークゲイン特性を示す図である。
【発明を実施するための形態】
【００１０】
以下、本開示の実施の形態について図面を参照しながら説明する。なお、説明は、以下の順序で行う。
＜１．第１の実施の形態＞
＜２．第２の実施の形態＞
＜３．第３の実施の形態＞
＜４．第４の実施の形態＞
＜５．変形例＞
なお、以下に説明する実施の形態は、本開示の好適な具体例であり、技術的に好ましい種々の限定が付されているが、本開示の範囲は、以下の説明において、特に本開示を限定する旨の記載がない限り、これらの実施の形態に限定されないものとする。
【００１１】
＜１．第１の実施の形態＞
「受信システム」
図１は、本開示の第１の実施の形態に係るアンテナと電子機器の一例である携帯機器とからなる受信システムの一例の接続構成を示す。受信システム１００は、電子機器としての携帯機器２００およびアンテナとして機能するケーブル部３００を主構成要素として有している。
【００１２】
携帯機器２００は、例えばテレビジョンチューナを内蔵するスマートフォンである。携帯機器２００は、表示系回路、液晶表示デバイス等の表示部、キー入力等を行う操作部を有する。携帯機器２００は、イヤホン接続用に丸型の３極ジャック１を有する。３極ジャック１および３極プラグ２１は、一例として３．５mm径のものである。
【００１３】
携帯機器２００に形成される３極ジャック１は、３極プラグ２１のチップ３１（Ｌチャンネル端子）と接続される電極ＴＬと、３極プラグ２１のリング３２（Ｒチャンネル端子）と接続される電極ＴＲと、３極プラグ２１のスリーブ３３（グランド端子）と接続される電極ＴＧとを有する。
【００１４】
電極ＴＬに対してフェライトビーズ２を介してオーディオＬチャンネルの信号ラインが引き出される。電極ＴＲに対してフェライトビーズ３を介してオーディオＲチャンネルの信号ラインが引き出される。電極ＴＧがフェライトビーズ４を介してオーディオ用グランドラインとして引き出されると共に、コンデンサ５を介してアンテナ信号ラインとして引き出される。アンテナ信号ラインは、図示しないが、携帯機器２００内の受信装置（例えばテレビジョンチューナ）に対して接続されている。フェライトビーズ２、３、４は、高周波成分の遮断のために接続されている。フェライトビーズに代えてコイルを使用しても良い。
【００１５】
第１の実施の形態では、ケーブル部３００によって構成されるアンテナが例えばデジタルテレビジョン放送を受信するために使われるＵＨＦ帯の電波信号を受信することが可能とされている。
【００１６】
ケーブル部３００は、３本のイヤホンケーブル２２Ｌ、２２Ｒ、２２Ｇ（これらの３本のケーブルを特に区別する必要がない場合には、単にイヤホンケーブル２２と称する）により形成される。イヤホンケーブル２２には、イヤホン２３Ｌ、２３Ｒが接続されている。イヤホンケーブル２２Ｇは、左右のチャンネルに対して共通のグランドラインである。イヤホンケーブル２２Ｇを使用してアンテナが構成される。
【００１７】
イヤホンケーブル２２は、中継部２４を介して３極プラグ２１に対して接続される。３極プラグ２１は、棒状電極（以下、チップと適宜称する）３１の先端部分が露出され、チップ３１の先端側から順番に、複数の筒状電極が順次表面に露出している。すなわち、先端側（チップ３１の露出部）から順にリング３２と、スリーブ３３とが設けられている。これらの電極間を絶縁するための絶縁部（カラー）が設けられている。
【００１８】
３極プラグ２１の後側には、チップ３１、リング３２およびスリーブ３３と電気的に接続されている電極４１、電極４２および電極４３が筍状に突出されている。これらの電極４１、電極４２および電極４３に対してイヤホンケーブル２２が接続される。イヤホンケーブル２２を直接接続しても良いが、アンテナ性能の均一性を向上するために、中継部２４が介在されている。
【００１９】
中継部２４は、たとえば基板あるいはモールド成型にて形成される。中継部２４では、３極プラグ２１の後端部の電極４２に対して、高周波遮断機能を有するフェライトビーズ４４を介してイヤホンケーブル２２Ｒが接続されている。３極プラグ２１の後端部の電極４１に対して、高周波遮断機能を有するフェライトビーズ４５を介してイヤホンケーブル２２Ｌが接続されている。さらに、３極プラグ２１の後端部の電極４３に対して、イヤホンケーブル２２Ｇが接続されている。フェライトビーズ４４、４５の代わりにコイルを接続しても良い。フェライトビーズ４４、４５は、オーディオ帯域で低インピーダンス、高周波の領域、たとえばＶＨＦ帯以上では、高インピーダンスとなるような高周波遮断素子である。また、携帯機器２００の受信装置内において、高周波遮断機能を有するフェライトビーズ２，３，４が挿入されているので、中継部２４の高周波遮断機能を有するフェライトビーズがないものでも実現可能である。
【００２０】
３極プラグ２１のスリーブ３３の位置から約λ／４のアンテナ長となるイヤホンケーブル２２の位置に対して、高周波遮断部（以下、高インピーダンス部と称する）５１が設けられている。但し、複数の周波数を受信したい場合、メインを波長が長い方に合わせて、低い方を高調波励振で、受信することも可能である。例えば、２００MHｚの周波数を受信したい場合、波長λの１/４の ３２．５ｃｍに合わせれば、その３倍波の６００MHｚに次の共振が現れるので、その付近の周波数も受信可能となる。テレビのＶＨＦ帯では、波長λが１．５ｍ（２００ＭＨｚ）〜３ｍ（１００ＭＨｚ）であり、ＵＨＦ帯では、波長λが４１ｃｍ（７００ＭＨｚ）〜６０ｃｍ（５００ＭＨｚ）である。一例として、λ／４＝１５ｃｍ（５００ＭＨｚ）に設定されている。
【００２１】
「高インピーダンス部の一例」
図２を参照して高インピーダンス部５１の一例について説明する。図２Ａおよび図２Ｂに示すように、イヤホンケーブル２２の上述した所定の位置において、線材の被覆が剥がされ，イヤホンケーブル２２が露出される。半円筒体のフェライト焼結体からなるフェライトコア５２ａ、５２ｂが合体され、円筒体のフェライトコアの中心穴をイヤホンケーブル２２が貫通するようになされる。そして、イヤホンケーブル２２がフェライトコア５２ａ、５２ｂからなる円筒体を貫通している状態が樹脂モールド（２点鎖線で示す）５３によって固定される。
【００２２】
かかる高インピーダンス部５１は、円筒状（またはリング状）のフェライトコアの中心穴を導線が貫通することによってコイルが構成される。したがって、高周波になるほど高いインピーダンスを有する。さらに、フェライトコアで構成されるコイルに電流が流れると、フェライトコアに生じる磁気損失によってエネルギーが失われる効果があり、インピーダンス（抵抗成分）が高くなる。
【００２３】
フェライトコア５２ａ、５２ｂを使用した場合のインピーダンス特性は、フェライトコア５２ａ、５２ｂの材料、フェライトコア５２ａおよび５２ｂによって形成される円筒体の寸法（長さ、直径、中心穴の径）、ターン数等で決定される。図２Ｃに示すように、フェライトコア５２ａ、５２ｂからなる円筒体の中心穴を導線が貫通する構成は、１ターンと称され、円筒体に導線を１回巻き付ける構成は、２ターンと称される。ターン数が増えると、インピーダンスが高くなる。さらに、フェライトコア５２ａ、５２ｂからなる円筒体を複数個使用することによって、インピーダンスを高くすることができる。
【００２４】
図２Ｄは、高インピーダンス部５１として使用することが可能な円筒状のフェライトコア単体のインピーダンスの周波数特性の一例を示す。図２Ｄの特性では、２００（ＭHz）で５０（Ω）のインピーダンスとなり、４００（ＭHz）で６０（Ω）のインピーダンスとなり、５００（ＭHz）で７０（Ω）のインピーダンスとなる。
【００２５】
実際には、下記のようなインピーダンスを呈するようになされる。
２００（ＭHz）＝５０（Ω）×２個×４倍（２ターン）＝４００（Ω）
４００（ＭHz）＝６０（Ω）×２個×４倍（２ターン）＝４８０（Ω）
５００（ＭHz）＝７０（Ω）×２個×４倍（２ターン）＝５６０（Ω）
【００２６】
高インピーダンス部５１は、オーディオ信号帯域に対しては、インピーダンスが低い値となる。したがって、オーディオ信号の伝送に関しては、高インピーダンス部５１は、影響しない。一方、高インピーダンス部５１は、上述したように、高周波信号成分に対して大きなインピーダンスを有する。したがって、イヤホン２３Ｌ、２３Ｒの影響と、人体の影響は、高インピーダンス部５１により遮断される。したがって、ケーブル部３００のアンテナに対して挿入されるイヤホンによる特性の変化、並び人体の影響によるゲイン低下を防止することができる。
【００２７】
＜２．第２の実施の形態＞
「受信システム」
図３は、本開示の第２の実施の形態に係るアンテナの一例を示す。図３では、ケーブル部３０１が示されており、携帯機器については、第１の実施の形態と同様であるため、図示が省略されている。
【００２８】
第２の実施の形態では、ケーブル部３０１には、３極プラグ２１と接続されるシールドケーブル６１と、シールドケーブル６１とイヤホン２３Ｌ，２３Ｒとの間に接続されるイヤホンケーブル２２と、シールドケーブル６１とイヤホンケーブル２２との間に挿入される高インピーダンス部５１とが含まれる。シールドケーブル６１の長さは、所定のアンテナ長例えば１５ｃｍ（５００ＭＨｚ）である。
【００２９】
図４は、シールドケーブル６１の線路長方向に対して垂直に切断した断面図である。シールドケーブル６１の中心部には、Ｌチャンネルのオーディオ信号伝送用のライン６２Ｌと、Ｒチャンネルのオーディオ信号伝送用のライン６２Ｒと、グランドライン６２Ｇが芯線（内部導体）として設けられている。これらの伝送ライン６２Ｌ，６２Ｒ，６２Ｇ（これらの３本のラインを特に区別する必要がない場合には、単にライン６２と称する）の外側には、樹脂６３の層が設けられている。
【００３０】
樹脂６３の外周部には、外部導体としてのシールド線６４が設けられている。シールド線６４がアンテナとして機能する。シールド線６４の外周が保護被膜６５で被覆されている。樹脂６３として通常の樹脂を使用しても良いが、例えば磁性材料例えばフェライトの粉体が混合された合成樹脂を使用することが好ましい。このような樹脂６３を使用すると、シールド線６４とライン６２との間に電波吸収部として樹脂６３が介在し、シールド線６４およびライン６２との間のアイソレーションを確保することができる。それによって、シールド線６４のアンテナとしての特性を一層良好とできる。さらに、アルミニウム等の金属の層を設けてアイソレーションを確保するようにしても良い。
【００３１】
シールドケーブル６１の各ラインが中継部２４を介して３極プラグ２１の後側に突出されている電極４１、電極４２および電極４３に対して接続される。中継部２４は、たとえば基板あるいはモールド成型にて形成される。中継部２４では、３極プラグ２１の後端部の電極４２に対して、高周波遮断機能を有するフェライトビーズ４４を介してライン６２Ｒが接続されている。３極プラグ２１の後端部の電極４１に対して、高周波遮断機能を有するフェライトビーズ４５を介してライン６２Ｌが接続されている。さらに、３極プラグ２１の後端部の電極４３に対して、グランドライン６２Ｇおよびシールド線６４が接続されている。フェライトビーズ４４、４５の代わりにコイルを接続しても良い。フェライトビーズ４４、４５は、オーディオ帯域で低インピーダンス、高周波の領域、たとえばＶＨＦ帯以上では、高インピーダンスとなるような高周波遮断のために実装されている。
【００３２】
ライン６２Ｒに対してイヤホンケーブル２２Ｒが接続され、ライン６２Ｌに対してイヤホンケーブル２２Ｌが接続され、グランドライン６２Ｇに対してイヤホンケーブル２２Ｇが接続される。このシールドケーブル６１とイヤホンケーブル２２との接続位置に、高インピーダンス部５１が設けられる。
【００３３】
高インピーダンス部５１は、図２を参照して説明したものと同様のものを使用することができる。高インピーダンス部５１を設けることによって、イヤホン２３Ｌ、２３Ｒの影響と、人体の影響は、高インピーダンス部５１により遮断される。したがって、ケーブル部３０１のアンテナに関して、イヤホンによる特性の変化、並び人体の影響によるゲイン低下を防止することができる。
【００３４】
＜３．第３の実施の形態＞
「受信システム」
図５は、本開示の第３の実施の形態に係るアンテナと携帯機器とからなる受信システム（受信装置）の一例の接続構成を示す。受信システム１０２は、電子機器としての携帯機器２０２およびアンテナとして機能するケーブル部３０２を主構成要素として有している。
【００３５】
携帯機器２０２は、例えばテレビジョンチューナを内蔵するスマートフォンである。表示系回路、液晶表示デバイス等の表示部、キー入力等を行う操作部を有する。携帯機器２０２は、イヤホンおよびマイクロホン接続用に丸型の４極ジャック１１を有する。４極ジャック１１と接続される４極プラグ２５は、一例として３．５mm径のものである。
【００３６】
携帯機器２０２に形成される４極ジャック１１は、４極プラグ２５のチップ３１（Ｌチャンネル端子）と接続される電極ＴＬと、４極プラグ２５のリング３２（Ｒチャンネル端子）と接続される電極ＴＲと、４極プラグ２５のリング３３（マイクロホン端子）と接続される電極ＴＭと、４極プラグ２５のスリーブ３３（グランド端子）と接続される電極ＴＧとを有する。
【００３７】
電極ＴＬに対してフェライトビーズ１２を介してオーディオＬチャンネルの信号ラインが引き出される。電極ＴＲに対してフェライトビーズ１３を介してオーディオＲチャンネルの信号ラインが引き出される。電極ＴＧがフェライトビーズ１４を介してオーディオ用グランドラインとして引き出されると共に、コンデンサ１６を介してアンテナ信号ラインとして引き出される。アンテナ信号ラインは、図示しないが、携帯機器２０２内の受信装置（チューナ）に対して接続されている。さらに、電極ＴＭに対してフェライトビーズ１５を介してマイクロホン用ラインが引き出される。フェライトビーズ１２、１３、１４、１５は、高周波成分の遮断のために接続されている。フェライトビーズに代えてコイルを使用しても良い。
【００３８】
第３の実施の形態では、ケーブル部３０２には、４極プラグ２５に接続されるシールドケーブル６６と、シールドケーブル６６とイヤホン２３Ｌ，２３Ｒとの間に接続されるイヤホンケーブル２２Ｌ，２２Ｒ，２２Ｇと、シールドケーブル６６とマイクロホン７１との間に接続されるマイクロホンケーブル２２Ｍと、シールドケーブル６６とイヤホンケーブルおよびマイクロホンケーブルとの間に挿入される高インピーダンス部５１とが含まれる。シールドケーブル６６の長さは、例えば１２００mmである。
【００３９】
図６は、シールドケーブル６６の線路長方向に対して垂直に切断した断面図である。シールドケーブル６６の中心部には、Ｌチャンネルのオーディオ信号伝送用のライン６２Ｌと、Ｒチャンネルのオーディオ信号伝送用のライン６２Ｒと、グランドライン６２Ｇと、マイクロホンケーブル６２Ｍとが芯線（内部導体）として設けられている。これらの伝送ライン６２Ｌ，６２Ｒ，６２Ｇ、６２Ｍ（これらの４本のラインを特に区別する必要がない場合には、単にライン６２と称する）の外側には、樹脂６３の層が設けられている。
【００４０】
樹脂６３の外周部には、外部導体としてのシールド線６４が設けられている。シールド線６４がアンテナとして機能する。シールド線６４の外周が保護被膜６５で被覆されている。樹脂６３は、例えば磁性材料例えばフェライトの粉体が混合された合成樹脂である。このような樹脂６３を使用すると、シールド線６４とライン６２との間に電波吸収部として樹脂６３が介在し、シールド線６４およびライン６２との間のアイソレーションを確保することができる。それによって、シールド線６４のアンテナとしての特性を良好とできる。
【００４１】
シールドケーブル６６の各ラインが中継部２４を介して４極プラグ２５の後側に突出されている電極４１、電極４２、電極４３および電極４６に対して接続される。中継部２４は、たとえば基板あるいはモールド成型にて形成される。中継部２４では、４極プラグ２５の後端部の電極４２に対して、高周波遮断機能を有するフェライトビーズ４４を介してライン６２Ｒが接続されている。４極プラグ２５の後端部の電極４１に対して、高周波遮断機能を有するフェライトビーズ４５を介してライン６２Ｌが接続されている。さらに、４極プラグ２５の後端部の電極４３に対して、グランドライン６２Ｇおよびシールド線６４が接続されている。さらに、４極プラグ２５の後端部の電極４６に対して、高周波遮断機能を有するフェライトビーズ４７を介してマイクロホンライン６２Ｍが接続されている。フェライトビーズ４４、４５、４７の代わりにコイルを接続しても良い。フェライトビーズ４４、４５、４７は、オーディオ帯域で低インピーダンス、高周波の領域、たとえばＶＨＦ帯以上では、高インピーダンスとなるような高周波遮断のために実装されている。
【００４２】
ライン６２Ｒに対してイヤホンケーブル２２Ｒが接続され、ライン６２Ｌに対してイヤホンケーブル２２Ｌが接続され、グランドライン６２Ｇに対してイヤホンケーブル２２Ｇが接続され、ライン６２Ｍに対してマイクロホンケーブル２２Ｍが接続される。このシールドケーブル６１とイヤホンケーブルおよびマイクロホンケーブルとの接続位置に、高インピーダンス部５１が設けられる。
【００４３】
高インピーダンス部５１は、図２を参照して説明したものと同様のものを使用することができる。高インピーダンス部５１を設けることによって、イヤホン２３Ｌ、２３Ｒ、およびマイクロホン７１の影響と、人体の影響が遮断される。したがって、ケーブル部３０２のアンテナに関して、イヤホンによる特性の変化、並び人体の影響によるゲイン低下を防止することができる。
【００４４】
＜４．第４の実施の形態＞
「受信システム」
図７および図８を参照して、本開示の第４の実施の形態に係る受信システム（受信装置）について説明する。示す。受信システム１０３は、電子機器としての携帯機器２０３、アンテナとして機能するケーブル部３０３およびイヤホン部４０３を構成要素として有している。
【００４５】
携帯機器２０３は、接続部として例えば３極ジャック１を有している。アンテナケーブル部３０３は、上述した第２の実施の形態と同様に、３極ジャック２１と接続される３極プラグ２１と、３極プラグ２１と接続されるシールドケーブル６１とを有する。シールドケーブル６１の他端には、３極ジャック８１が接続されており、シールドケーブル６１と３極ジャック８１との間に高インピーダンス部５１が設けられている。
【００４６】
イヤホン部４０３は、３極ジャック８１と接続される３極プラグ９１に対してイヤホンケーブル２２を介してイヤホン２３Ｌ、２３Ｒが接続された構成を有する。第４の実施の形態において使用される３極プラグ２１および９１、並びに３極ジャック１および８１は、例えば３．５mm径のものである。
【００４７】
シールドケーブル６１のシールド線６４がモノポールアンテナとして機能する。シールドケーブル６１の長さが約λ／４に設定されている。高インピーダンス部５１を設けているので、３極ジャック８１に対する３極プラグ９１の接続の有無によってアンテナの特性は殆ど変化しないようになされる。
【００４８】
図８は、第４の実施の形態の電気的構成を示している。３極ジャック８１は、端子８２Ｒ、端子８２Ｌおよびグランド端子８２Ｇを有する。３極ジャック８１の近傍において、シールドケーブル６１の他端部は、絶縁体等が除去されてライン６２Ｒ、６２Ｌ、６２Ｇが露出されている。また、３極ジャック８１の近傍にはシールド線６４が露出している。そして、端子８２Ｒには、ライン６２Ｒが接続され、端子８２Ｌには、ライン６２Ｌが接続され、端子８２Ｇには、ライン６２Ｇが接続される。
【００４９】
「イヤホン部４０３」
イヤホンケーブル２２は、一端部が分岐されてイヤホン２３Ｒおよび２３Ｌと接続され、他端部に３極プラグ９１が接続されている。３極プラグ９１は、その円筒状の先端部を３極ジャック８１に挿入して接続可能であり、チップ９２、リング９３およびスリーブ９４を有する。３極プラグ９１の後側において、チップ９２およびスリーブ９４間にイヤホン２３Ｌが接続され、リング９３およびスリーブ９４間にイヤホン２３Ｒが接続される。
【００５０】
「高インピーダンス部」
第４の実施の形態における高インピーダンス部５１は、例えば図９に示すような構成とされる。シールドケーブル６１から導出されたライン６２Ｌ，６２Ｒ，６２Ｇが円筒状（またはリング状）フェライトコア５２に１回巻き付けられてから３極ジャック８１に対して接続される。この例では、フェライトコア５２に対して、ライン６２を１回巻き付けているので、２ターンの構成である。ライン６２を１回巻き付けている状態が樹脂モールド（２点鎖線で示す）５３によって固定される。なお、上下に分割したフェライトコアを使用しても良く、また、２個以上のフェライトコアを使用しても良い。
【００５１】
かかる高インピーダンス部５１のフェライトコア５２は、図２Ｄに示すようなインピーダンスの周波数特性を呈するものである。すなわち、高周波になるほど高いインピーダンスを有し、さらに、フェライトコアで構成されるコイルに電流が流れると、フェライトコアに生じる磁気損失によってエネルギーが失われる効果があり、インピーダンス（抵抗成分）が高くなる。
【００５２】
高インピーダンス部５１は、オーディオ信号帯域に対しては、インピーダンスが低い値となる。したがって、オーディオ信号の伝送に関しては、高インピーダンス部５１は、影響しない。一方、高インピーダンス部５１は、上述したように、高周波信号成分に対して大きなインピーダンスを有する。したがって、イヤホン２３Ｌ、２３Ｒの影響と、人体の影響は、高インピーダンス部５１により遮断される。したがって、３極ジャック８１に対して接続されるイヤホン部４０３による特性の変化、並び人体の影響によるゲイン低下を防止することができる。
【００５３】
「第４の実施の形態の特性」
図１０は、第４の実施の形態のＶＳＷＲ(Voltage Standing Wave Ratio）の測定結果を示す。図１０の横軸が周波数、縦軸が反射損失の値である。図１０において、カーブ１０１は、イヤホン部４０３が接続されていない場合の特性を示す。この特性が最も良い特性である。破線で囲んで示すようなＵＨＦ帯での反射損失が小さいものとなっている。
【００５４】
他のカーブ１０２、１０３、１０４は、３極ジャック８１に対して異なる種類のイヤホン部４０３を接続した場合の特性をそれぞれ示している。カーブ１０２は、長さが５００mmのイヤホンケーブルを３極ジャック８１に対して接続した場合の特性である。カーブ１０３は、長さが１．５ｍのイヤホンケーブルを３極ジャック８１に対して接続した場合の特性である。カーブ１０４は、長さが１ｍのイヤホンケーブルを３極ジャック８１に対して接続した場合の特性である。高インピーダンス部５１としては、同一のものを使用している。
【００５５】
図１０から分かるように、イヤホン部４０３の接続の有無、並びに接続されるイヤホン部４０３の長さの違いによって、ＵＨＦ帯の主共振の特性が大きく変化しない。すなわち、高インピーダンス部５１を設けたことにより、３極ジャック８１から先の構成の影響を遮断することができる。
【００５６】
図１１、図１２および図１３は、第４の実施の形態における周波数に対するピークゲイン特性を示す図である。ピークゲインをダイポールアンテナのゲインに対する相対的なゲインである。図１１Ａ、図１２Ａおよび図１３Ａにそれぞれ図示されているカーブは、水平偏波(Horizontal Polarization）の特性を示している。図１１Ｂ、図１２Ｂおよび図１３Ｂは、測定結果を詳細に示す表である。
【００５７】
図１１は、ケーブル部３０３単体の特性を示し、図１２は、長さ１２００mmのイヤホンケーブルを有するイヤホン部４０３を接続した場合の特性を示し、図１３は、長さ１２００mmのイヤホンケーブルを有するイヤホン部４０３を接続し、イヤホン２３Ｌ、２３Ｒを耳に装着した場合の特性を示す。図１１、図１２および図１３から分かるように、イヤホン部４０３を接続した場合のＶＳＷＲの変化を少なくでき、さらに、イヤホンを耳に装着した場合のＶＳＷＲの変化を少なくでき、アンテナゲインを確保することができる。
【００５８】
＜５．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。例えば電子機器とケーブル部との接続装置としては、プラグに限らず、μＵＳＢ(Universal Serial Bus)等の他のコネクタを使用しても良い。
【符号の説明】
【００６０】
１，８１  ３極ジャック
１１  ４極ジャック
２１，９１  ３極プラグ
２２Ｒ，２２Ｌ，２２Ｇ  イヤホンケーブル
２２Ｍ  マイクロホンケーブル
２３Ｌ，２３Ｒ  イヤホン
２５  ４極プラグ
５１  高インピーダンス部
６１，６６  シールドケーブル
１００，１０１，１０２，１０３  受信システム
２００，２０２，２０３  携帯機器
３００，３０１，３０２，３０３  ケーブル部
４０３  イヤホン部
【図１】
0006595487.tif 000002
【図２】
0006595487.tif 000003
【図３】
0006595487.tif 000004
【図４】
0006595487.tif 000005
【図５】
0006595487.tif 000006
【図６】
0006595487.tif 000007
【図７】
0006595487.tif 000008
【図８】
0006595487.tif 000009
【図９】
0006595487.tif 000010
【図１０】
0006595487.tif 000011
【図１１】
0006595487.tif 000012
【図１２】
0006595487.tif 000013
【図１３】
0006595487.tif 000014